(57)【特許請求の範囲】
【請求項１】
一端が閉塞され流動状の毛染剤が充填されるチューブ本体及び該チューブ本体の他端に該充填された毛染剤を吐出する吐出口を有したチューブの上記吐出口から吐出された毛染剤を毛髪に塗布する毛染用ブラシであって、把持可能な柄部と、上記チューブから吐出された毛染剤を毛髪に塗布するための複数の毛からなる刷毛部と、上記柄部の一方端に設けられ該刷毛部が植設されるブラシ台とを備えた毛染用ブラシにおいて、
上記ブラシ台に、上記チューブ本体が差し込まれ該差し込まれたチューブ本体の一端側を引張することによりチューブ内の毛染剤を絞り出すチューブ絞出部を設け、
上記チューブ絞出部を、上記チューブ本体を挟み付け互いに対面する一方壁面及び他方壁面を有したスリットで構成し、
上記スリットを、上記ブラシ台の上記刷毛部が植設される植設面から柄部側に向かって切欠形成し、上記植設面に該スリットの開放口を有して構成し、
上記ブラシ台を樹脂で形成し、
該ブラシ台の上記スリットの左右に位置する両側壁を該スリット側に押圧することにより該ブラシ台を撓ませて該スリットの幅を狭くすることを可能にしたことを特徴とする毛染用ブラシ。
【請求項２】
上記スリットの一方壁面及び他方壁面に対向する上記ブラシ台の両側壁面を粗面形成したことを特徴とする請求項１記載の毛染用ブラシ。
【請求項３】
上記スリットの一方壁面及び他方壁面の縁部を面取り形成したことを特徴とする請求項１または２記載の毛染用ブラシ。
【請求項４】
上記スリットの一方壁面及び他方壁面の少なくともいずれか一方の面を横断面凸状の弧面状に形成したことを特徴とする請求項１乃至３何れかに記載の毛染用ブラシ。
【発明の詳細な説明】
【技術分野】
【０００１】
本発明は、毛染剤が充填されたチューブの吐出口から吐出された毛染剤を毛髪に塗布する毛染用ブラシに係り、特に、チューブ内の毛染剤を絞り出すチューブ絞出部を備えた毛染用ブラシに関する。
【背景技術】
【０００２】
一般に、毛染用ブラシとしては、例えば、図１２に示すように、把持可能な柄部１００と、毛染剤１１２を毛髪に塗布するための複数の毛１０１からなる刷毛部１０２と、柄部１００の一方端に設けられ刷毛部１０２が植設されるブラシ台１０３とを備えたものが知られている（例えば、実用新案登録第３１０１０１６号公報等参照）。
また、一般に、図１２に示すように、毛染剤はチューブ１１０に充填されている。チューブ１１０は、一端１１１が閉塞され流動状の毛染剤１１２が充填されるチューブ本体１１３と、チューブ本体１１３の他端１１４に設けられ充填された毛染剤１１２を吐出する吐出口１１５とを備えて構成されている。
そして、この毛染用ブラシＳａを用いて毛染剤１１２を毛髪に塗布するときは、チューブ本体１１３を手で押して、その吐出口１１５から毛染剤１１２を刷毛部１０２に直接吐出させて付着させ、あるいは、皿等に別途吐出させてから刷毛部１０２に付着させ、それから、この毛染剤１１２を毛髪に塗布していく。
【０００３】
ところで、チューブ本体１１３から毛染剤１１２を手で絞り出す場合には、チューブ本体１１３の剛性により、略全部の毛染剤１１２を吐出させることが困難であり、また、残量が比較的多くなるので、そのまま捨ててしまうことは不経済であることから、従来においては、例えば、図１３に示すような汎用的なチューブ絞出器１２０を使用して、チューブ本体１１３を一端１１１から他端１１４側に向けて徐々に扱き上げていき、毛染剤１１２を吐出口１１５に集束させて吐出させることを行なっている。この汎用的なチューブ絞出器１２０は、毛染用ブラシＳａやチューブ１１０とは別体のものであり、チューブ本体１１３が差し込まれるスリット１２１と、把持可能な把持部１２２とを備えて構成されている。このチューブ絞出器１２０を使用するときは、チューブ本体１１３をスリット１２１に差し込み、片方の手で把持部１２２を把持し、もう片方の手で差し込まれたチューブ本体１１３の一端１１１側を引張する。これによって、チューブ１１０内の毛染剤１１２を吐出口１１５に集中させることができるので、チューブ１１０内の毛染剤１１２を最大限に絞り出すことができ、そのため、チューブ１１０内の毛染剤１１２を無駄なく使用することができる。
【０００４】
しかしながら、このチューブ絞出器１２０は、毛染用ブラシＳａとは別体なので、これを使用するときは、毛染用ブラシＳａを一時的に手放して置かなければならず、そのため、毛染剤１１２の絞り出し作業が煩雑になるという問題があった。また、チューブ絞出器１２０は、毛染用ブラシＳａやチューブ１１０とは別体なので、使用したい時にチューブ絞出器１２０が見つからなかったり、失くしてしまったりするという問題もある。
【０００５】
そこで、このチューブ絞り出しの機能を、毛染用ブラシに備えることが考えられる。このような発想は、毛染用ブラシではないが、例えば、実開平６−３１５２７号公報に記載されているように、歯磨き用の歯ブラシにはあり、これを適用することが考えられる。
図１４に示すように、この歯ブラシＳｂは、把持可能な柄部２００と、歯磨き粉２１２が供給される複数の毛２０１からなるブラシ部２０２と、柄部２００の一方端に設けられブラシ部２０１が植設されるブラシ台２０３とを備えて構成されており、柄部２００にチューブ本体２１３が差し込まれるチューブ絞出部２０４としてのスリット２０５が形成されている。この歯ブラシＳｂのチューブ絞出部２０４を使用するときは、通常は歯磨きを行なうときに柄部２００を把持すると、柄部２００に形成されたスリット２０５が手で隠れてしまうので、通常の持ち方とは柄部２００とブラシ台２０３との向きが逆になるように歯ブラシＳｂを持ち変え、この状態でチューブ２１０をスリット２０５に差し込み、差し込まれたチューブ本体２１３の一端２１１側を引張する。これによって、チューブ２１０内の歯磨き粉２１２を吐出口２１４に集中させることができるので、チューブ２１０内の歯磨き粉２１２を最大限に絞り出すことができ、そのため、チューブ２１０内の歯磨き粉２１２を無駄なく使用することができる。
【先行技術文献】
【特許文献】
【０００６】
【特許文献１】実用新案登録第３１０１０１６号公報
【特許文献２】実開平６−３１５２７号公報
【発明の概要】
【発明が解決しようとする課題】
【０００７】
しかしながら、上記従来の歯磨き用の歯ブラシＳｂの技術（特許文献２記載の技術）を、毛染用ブラシＳａに適用できたとしても、チューブ絞出部２０４が柄部２００に設けられているため、チューブ絞出部２０４を使用する際には、歯ブラシＳｂのブラシ部２０２を持たなければならないので、ブラシ部２０２に毛染剤１１２が付着している場合は、手が汚れてしまうという問題があった。また、ブラシ部２０２を持つので持ちにくく、それだけ、操作性が悪くなっており、そのため、チューブ２１０の絞り出し作業が煩雑になるという問題があった。
【０００８】
本発明は、このような問題点に鑑みてなされたもので、チューブ絞り出し機能を備えるとともに、柄部を把持したまま持ち変えることなくチューブを絞ることができるようにし、毛染剤の絞り出し作業を容易に行なうことができるようにした毛染用ブラシを提供することを目的とする。
【課題を解決するための手段】
【０００９】
このような目的を達成するため、本発明の毛染用ブラシは、一端が閉塞され流動状の毛染剤が充填されるチューブ本体及び該チューブ本体の他端に該充填された毛染剤を吐出する吐出部を有したチューブの上記吐出口から吐出された毛染剤を毛髪に塗布する毛染用ブラシであって、把持可能な柄部と、上記チューブから吐出された毛染剤を毛髪に塗布するための複数の毛からなる刷毛部と、上記柄部の一方端に設けられ該刷毛部が植設されるブラシ台とを備えた毛染用ブラシにおいて、上記ブラシ台に、上記チューブ本体が差し込まれ該差し込まれたチューブ本体の一端側を引張することによりチューブ内の毛染剤を絞り出すチューブ絞出部を設けた構成としている。
【００１０】
これにより、この毛染用ブラシを用いて毛染剤を毛髪に塗布するときは、チューブの吐出口から毛染剤を直接刷毛部に吐出させて付着させ、あるいは、皿等に別途吐出させてから刷毛部に付着させ、それから、この毛染剤を毛髪に塗布していく。
このとき、チューブ本体に充填されている毛染剤の残量が少量の場合は、チューブを絞って吐出口から吐出させるが、この場合、そのまま毛染用ブラシを用いることができる。即ち、これを使用するときは、片手で柄部を把持したままチューブをブラシ台に設けられたチューブ絞出部に差し込み、もう片方の手でチューブ本体の一端側を引張し、チューブ本体を一端から他端側に向けて徐々に扱き上げていく。これにより、毛染剤が吐出口に集束させられて吐出させられる。この場合、チューブ内の毛染剤を吐出口に集中させることができるので、チューブ内の毛染剤を最大限に絞り出すことができ、そのため、チューブ内の毛染剤を無駄なく使用することができる。
【００１１】
また、この場合、毛染用ブラシをそのまま用いてチューブを絞り出すことができるので、別途チューブ絞出器を用いるのと比較して、毛染用ブラシを持ち変えることなくチューブを絞ることができるので、チューブの絞り出し作業を容易に行なうことができる。また、柄部を把持したまま毛染用ブラシを持ち変えることなくチューブ絞出部を使用してチューブを絞ることができるので、操作性を極めて向上させることができ、この点でも、毛染剤の塗布作業を容易に行なうことができる。
【００１２】
そして、必要に応じ、上記チューブ絞出部を、上記チューブ本体を挟み付け互いに対面する一方壁面及び他方壁面を有したスリットで構成している。
これにより、スリットを形成するだけなので、チューブ絞出部を容易且つ安価に形成することができる。
【００１３】
また、必要に応じ、上記スリットを、上記ブラシ台を切り欠いて形成した構成としている。
これにより、ブラシ台を切り欠くだけでスリットを形成することができるので、より一層チューブ絞出部を容易且つ安価に形成することができる。
【００１４】
更に、必要に応じ、上記スリットを、一端に開放口を有して形成した構成としている。
これにより、チューブをスリットに差し込む際、開放口から差し込むことができるようになるので、チューブをスリットに差し込みやすくなる。また、開放口を有していることから、チューブの幅がスリットの長さよりも長い場合でも確実にチューブをスリットに差し込むことができるようになる。
【００１５】
更にまた、必要に応じ、上記スリットを、上記ブラシ台の上記刷毛部が植設される植設面から柄部側に向かって切欠形成し、上記植設面に開放口を有して構成している。
これにより、チューブを柄部とは反対側の植設面に形成された開放口からスリットに差し込んで、チューブの一端を引張することができるので、より一層確実に柄部を把持したままチューブの絞り出し作業を行なうことができる。
【００１６】
そして、また、必要に応じ、上記ブラシ台を樹脂で形成し、該ブラシ台の上記スリットの左右に位置する両側壁を該スリット側に押圧することにより該ブラシ台を撓ませて該スリットの幅を狭くすることを可能にした構成としている。
【００１７】
これにより、チューブを絞る際は、片方の手で柄部を把持するとともに、この把持した方の手の指をブラシ台の両側壁面に掛け、チューブをスリットに差し込んで、ブラシ台の両側壁をスリット側に押圧しながら、もう片方の手でチューブの一端を引張することにより行なう。これによって、チューブをより一層強力に扱き上げることができるので、チューブ内の毛染剤をより一層確実に吐出口に集中させることができ、そのため、チューブ内の毛染剤を最大限に絞り出すことができるので、チューブ内の毛染剤をより一層無駄なく使用することができる。また、ブラシ台の両側壁面を指で押えるので、チューブの一端を引張したときに、ブラシ台を確実に押えることができ、そのため、チューブを引張しやすくなる。
【００１８】
また、必要に応じ、上記スリットの一方壁面及び他方壁面に対向する上記ブラシ台の両側壁面を粗面形成した構成としている。
これにより、ブラシ台の両側壁面を指で押えてチューブの一端を引張したとき、チューブを引張する引張力によってブラシ台にもチューブの一端方向に向かおうとする力が作用するが、この際、両側壁面が粗面形成されているので、指が滑って両側壁面の押さえが外れる事態を防止することができ、そのため、チューブの一端を引張したときに、ブラシ台をより一層確実に押えることができ、そのため、より一層チューブを引張しやすくなる。特に、毛染剤を毛髪に塗布する際にブラシを持つ方の手にゴム手袋を装着した場合は、このゴム手袋に付着した毛染剤等により指が滑ることがあるが、両側壁面を粗面形成したことにより、ブラシ台を確実に押さえることができる。
【００１９】
また、本発明の開発過程においては、上記スリットを、上記ブラシ台を貫通する貫通孔で構成することが提案された。
これにより、ブラシ台に貫通孔を形成するだけでスリットを形成することができるので、チューブ絞出部を容易且つ安価に形成することができる。
【００２０】
更にまた、必要に応じ、上記スリットの一方壁面及び他方壁面の縁部を面取り形成した構成としている。
これにより、チューブをブラシ台に差し込む際に、チューブとスリットの一方壁面及び他方壁面の縁部とが接触するが、縁部を面取りすることで、チューブとスリットとの接触が円滑になり、そのため、チューブをスリットに差し込む際にチューブ本体が破けてチューブ内の毛染剤が漏れる事態を防止することができ、それだけ、毛染剤を経済的に使用することができるとともに、毛染用ブラシ及びチューブを綺麗に使用することができる。
【００２１】
また、必要に応じ、上記スリットの一方壁面及び他方壁面の少なくともいずれか一方の面を横断面凸状の弧面状に形成した構成としている。
これにより、チューブをブラシ台に差し込むと、チューブとスリットの一方壁面及び他方壁面が接触するが、この面を断面弧面状に形成することで、チューブを一端から引張する際のスリットとの接触が円滑になり、そのため、チューブを一端から引張する際にチューブ本体が破けてチューブ内の毛染剤が漏れる事態を防止することができ、それだけ、毛染剤を経済的に使用することができるとともに、毛染用ブラシ及びチューブを綺麗に使用することができる。
【００２２】
また、本発明の開発過程においては、上記スリットの一方壁面を、上記ブラシ台の一方面及び他方面の少なくともいずれか一方で構成し、上記スリットの一方壁面に対峙する他方壁面を、両端が上記ブラシ台に固設される押え部材で構成することが提案された。
これにより、チューブを絞る際は、片方の手で柄部を把持し、チューブを、一方壁面を構成するブラシ台の一方面または他方面のいずれか一方と、他方壁面を構成する押え部材との間に差し込んで、もう片方の手でチューブを一端から引張することにより行なう。これによって、チューブがブラシ台の一方面及び他方面の面方向に沿って引張されて移動していくので、チューブを引張する際に、柄部を把持した方の手が邪魔になることがなく、そのため、柄部を把持したまま持ち変えることなくチューブの絞り出し作業を行なうことができる。
【００２３】
更に、上記押え部材をローラで構成することも提案された。
これにより、チューブを一端から引張したとき、チューブ本体と押え部材との摩擦が軽減されるので、チューブを引張しやすくなる。また、チューブ本体と押え部材との摩擦が軽減されることから、チューブを一端から引張する際にチューブ本体が破けてチューブ内の毛染剤が漏れる事態を防止することができ、それだけ、毛染剤を経済的に使用することができるとともに、毛染用ブラシ及びチューブを綺麗に使用することができる。
【発明の効果】
【００２４】
本発明の毛染用ブラシによれば、チューブの吐出口から毛染剤を直接刷毛部に吐出させて付着させ、あるいは、皿等に別途吐出させてから刷毛部に付着させ、それから、この毛染剤を毛髪に塗布していく。このとき、チューブ本体に充填されている毛染剤の残量が少量の場合は、チューブを絞って吐出口から吐出させるが、この場合、そのまま毛染用ブラシを用いることができる。即ち、これを使用するときは、片手で柄部を把持したままチューブをブラシ台に設けられたチューブ絞出部に差し込み、もう片方の手でチューブ本体の一端側を引張し、チューブ本体を一端から他端側に向けて徐々に扱き上げていく。これにより、毛染剤が吐出口に集束させられて吐出させられる。この場合、チューブ内の毛染剤を吐出口に集中させることができるので、チューブ内の毛染剤を最大限に絞り出すことができ、そのため、チューブ内の毛染剤を無駄なく使用することができる。
【００２５】
また、この場合、毛染用ブラシをそのまま用いてチューブを絞り出すことができるので、別途チューブ絞出器を用いるのと比較して、毛染用ブラシを持ち変えることなくチューブを絞ることができるので、チューブの絞り出し作業を容易に行なうことができる。また、柄部を把持したまま毛染用ブラシを持ち変えることなくチューブ絞出部を使用してチューブを絞ることができるので、操作性を極めて向上させることができ、この点でも、毛染剤の塗布作業を容易に行なうことができる。
【図面の簡単な説明】
【００２６】
【図１】本発明の実施の形態に係る毛染用ブラシを示す斜視図である。
【図２】本発明の実施の形態に係る毛染用ブラシを示す正面図である。
【図３】図２中、Ａ−Ａ線視横断面図である。
【図４】本発明の実施の形態に係る毛染用ブラシを示す側面図である。
【図５】本発明の実施の形態に係る毛染用ブラシを、その使用状態で示す斜視図である。
【図６】本発明の開発過程で提案された毛染用ブラシを示す正面図である。
【図７】本発明の開発過程で提案された別の毛染用ブラシを示す正面図である。
【図８】本発明の開発過程で提案されたまた別の毛染用ブラシを示す正面図である。
【図９】本発明の開発過程で提案された更に別の毛染用ブラシを示す斜視図である。
【図１０】本発明の開発過程で提案された更にまた別の毛染用ブラシを示す斜視図である。
【図１１】本発明の毛染用ブラシの別の例を示す断面図であり、（ａ）は一方壁面及び他方壁面に金具を設けた図、（ｂ）は一方壁面及び他方壁面に一方壁面及び他方壁面を覆う金具を付設した図である。
【図１２】一般的な毛染用ブラシを示す図である。
【図１３】汎用的なチューブ絞出器を示す斜視図である。
【図１４】チューブ絞出部を備えた歯ブラシを示す図である。
【発明を実施するための形態】
【００２７】
以下、添付図面に基づいて本発明の実施の形態に係る毛染用ブラシを説明する。
図１乃至図５には、本発明の実施の形態に係る毛染用ブラシＳを示している。本毛染用ブラシＳは、一端２ａが閉塞され流動状の毛染剤４が充填されるチューブ本体２及びチューブ本体２の他端２ｂに充填された毛染剤４を吐出する吐出口３を有したチューブ１の吐出口３から吐出された毛染剤４を毛髪に塗布するものである。
【００２８】
本毛染用ブラシＳは、把持可能な柄部１０と、チューブ１から吐出された毛染剤４を毛髪に塗布するための複数の毛２１からなる刷毛部２０と、柄部１０の一方端１１に設けられ刷毛部２０が植設されるブラシ台３０とを備えて構成されている。
【００２９】
柄部１０は、ポリプロピレンからなる樹脂で構成され、一方端１１から他方端１２に向けて先端先細りの形状に形成されている。
【００３０】
刷毛部２０は、ナイロンからなる複数の毛２１を束ねた毛束２２を２４束有して構成されている。この刷毛部２０は、２４束の毛束２２が行列状に並んで形成されており、長手方向の両端部に位置する毛束２２ａは中央部に位置する毛束２２ｂよりも長さが短く形成されている。これにより、刷毛部２０から毛染剤４が液垂れする事態を防止することができる。
【００３１】
ブラシ台３０は、ポリプロピレンからなる樹脂で構成され、柄部１０と一体形成されている。このブラシ台３０には、チューブ本体２が差し込まれ差し込まれたチューブ本体２の一端２ａ側を引張することによりチューブ１内の毛染剤４を絞り出すチューブ絞出部４０が設けられている。
【００３２】
チューブ絞出部４０は、チューブ本体２を挟み付け互いに対面する一方壁面４１ａ及び他方壁面４１ｂを有したスリット４１で構成されている。詳しくは、スリット４１は、ブラシ台３０の刷毛部２０が植設される植設面３１から柄部１０側に向かってブラシ台３０を切り欠いて形成されているとともに、一端に開放口４２を有して形成されている。本第一の実施の形態では、植設面３１に開放口４２を有して形成されている。
【００３３】
また、このスリット４１において、スリット４１を構成し互いに対面する一方壁面４１ａ及び他方壁面４１ｂの縁部が面取りされて形成されているとともに、スリット４１を構成し互いに対面する一方壁面４１ａ及び他方壁面４１ｂが横断面凸状の弧面状に形成されている。
【００３４】
また、このブラシ台３０は、矩形状に形成され毛束２２が植設可能な２４つのホール３３が行列状に形成された植設面３１と、植設面３１の長手方向に沿う方向の側縁から夫々垂設される一方面３４及び他方面３５と、植設面３１の長手方向に直交する方向の側縁から夫々垂設される両側壁面３６とを備えてブロック状に形成されている。
【００３５】
また、このブラシ台３０は、スリット４１の左右に位置する両側壁３８をスリット４１側に押圧することによりブラシ台３０を撓ませてスリット４１の幅を狭くすることが可能になっている。更に、このブラシ台３０において、スリット４１の一方壁面４１ａ及び他方壁面４１ｂに対向するブラシ台３０の両側壁面３６が粗面形成されている。詳しくは、側壁面３６に、微細な凸部３７が多数行列状に設けられている。
【００３６】
従って、この実施の形態に係る毛染用ブラシＳを用いて毛染めを行なうときは、以下のようにする。
片方の手にゴム手袋を装着し、このゴム手袋を装着した方の手で柄部１０を把持し、もう片方の手でチューブ１の吐出口３から毛染剤４を直接刷毛部２０に吐出させて付着させ、あるいは皿等に別途吐出させてから刷毛部２０に付着させ、この刷毛部２０に付着された毛染剤４を毛髪に塗布していく。
【００３７】
チューブ本体２に充填されている毛染剤４の残量が少量の場合は、チューブ１を絞って吐出口３から吐出させるが、この場合、この毛染用ブラシＳをそのまま用いる。即ち、チューブ絞出部４０はブラシ台３０に設けられており、通常は塗布作業を行なうときに柄部１０を把持してもブラシ台３０は手で隠れないので、通常通り片手で柄部１０を把持したままチューブ１をブラシ台３０に設けられたチューブ絞出部４０に差し込む。
【００３８】
このとき、チューブ１を植設面３１に形成された開放口４２からスリット４１に差し込む。この場合、チューブ１を開放口４２から差し込むことができるようになるので、チューブ１をスリット４１に差し込みやすくなる。また、開放口４２を有していることから、チューブ１の幅がスリット４１の長さよりも長い場合でも確実にチューブ１をスリット４１に差し込むことができるようになる。更に、チューブ１をブラシ台３０に差し込む際に、チューブ１とスリット４１の一方壁面４１ａ及び他方壁面４１ｂの縁部とが接触するが、縁部を面取りすることで、チューブ１とスリット４１との接触が円滑になり、そのため、チューブ１をスリット４１に差し込む際にチューブ本体２が破けてチューブ１内の毛染剤４が漏れる事態を防止することができ、それだけ、毛染剤４を経済的に使用することができるとともに、毛染用ブラシＳ及びチューブ１を綺麗に使用することができる。
【００３９】
そして、図５に示すように、柄部１０を把持している方の手の指をブラシ台３０の両側壁面３６に掛け、ブラシ台３０の両側壁面３６をスリット４１側に押圧しながら、もう片方の手でチューブ１の一端２ａを引張する。これによって、チューブ本体２を一端２ａから他端２ｂ側に向けて徐々に扱き上げていき、毛染剤４を吐出口３に集束させて吐出させる。この場合、ブラシ台３０の両側壁面３６を指で押えるので、チューブ１の一端２ａを引張したときに、ブラシ台３０を確実に押えることができ、そのため、チューブ１を引張しやすくなる。また、チューブ１を引張する引張力によってブラシ台３０にもチューブ１の一端２ａ方向に向かおうとする力が作用するが、この際、両側壁面３６が粗面形成されているので、指が滑って両側壁面３６の押さえが外れる事態を防止することができ、そのため、チューブ１の一端２ａを引張したときに、ブラシ台３０をより一層確実に押えることができ、そのため、より一層チューブ１を引張しやすくなる。特に、ゴム手袋に付着した毛染剤４等により指が滑ることがあるが、両側壁面３６を粗面形成したことにより、ブラシ台３０を確実に押さえることができる。
【００４０】
更に、チューブ１をブラシ台３０に差し込むと、チューブ１とスリット４１の一方壁面４１ａ及び他方壁面４１ｂが接触するが、この面を断面弧面状に形成することで、チューブ１を一端２ａから引張する際のスリット４１との接触が円滑になり、そのため、チューブ１を一端２ａから引張する際にチューブ本体２が破けてチューブ１内の毛染剤４が漏れる事態を防止することができ、それだけ、毛染剤４を経済的に使用することができるとともに、毛染用ブラシＳ及びチューブ１を綺麗に使用することができる。
【００４１】
このように、毛染剤４が充填されたチューブ１を絞って吐出させることにより、チューブ１内の毛染剤４を吐出口３に集中させることができるので、チューブ１内の毛染剤４を最大限に絞り出すことができ、そのため、チューブ１内の毛染剤４を無駄なく使用することができる。
【００４２】
本発明の毛染用ブラシＳは、毛染用ブラシＳをそのまま用いてチューブ１を絞り出すことができるので、別途チューブ絞出器を用いるのと比較して、毛染用ブラシＳを持ち変えることなくチューブ１を絞ることができるので、チューブ１の絞り出し作業を容易に行なうことができる。また、柄部１０を把持したまま毛染用ブラシＳを持ち変えることなくチューブ絞出部４０を使用してチューブ１を絞ることができるので、操作性を極めて向上させることができ、この点でも、毛染剤４の塗布作業を容易に行なうことができる。
【００４３】
また、刷毛部２０が植設された植設面３１に開放口４２が形成されており、この開放口４２からチューブ１をスリット４１に差し込むので、即ち、チューブ１を柄部１０とは反対側の植設面３１に形成された開放口４２からスリット４１に差し込むので、より一層確実に柄部１０を把持したままチューブ１の絞り出し作業を行なうことができる。また、例えば、植設面３１に形成された開放口４２からチューブ１を差し込んでチューブ１の一端２ａを引張し、吐出口３から毛染剤４を吐出させて、チューブ１を開放口４２から引き抜くと、チューブ１の吐出口３が植設面３１近傍に位置するようになるので、吐出口３から吐出された毛染剤４が刷毛部２０に供給されるようになり、そのため、毛染剤４を吐出させた後、直ちに毛染剤４の塗布作業を行なうことができるので、毛染剤４の塗布作業を容易に行なうことができる。
【００４４】
更に、ブラシ台３０の両側壁面３６をスリット４１側に押圧しながらチューブ１を絞るので、チューブ１を強力に扱き上げることができ、チューブ１内の毛染剤４を確実に吐出口３に集中させることができるので、チューブ１内の毛染剤４を最大限に絞り出すことができ、そのため、チューブ１内の毛染剤４をより一層無駄なく使用することができる。
【００４５】
更にまた、チューブ絞出部４０は、ブラシ台３０を切り欠いてスリット４１を形成するだけで構成することができるので、チューブ絞出部４０を容易且つ安価に形成することができる。
【００４６】
図６には、本発明の開発過程で提案された毛染用ブラシＳを示している。この毛染用ブラシＳは、上記実施の形態とは、チューブ絞出部４０が異なっている。詳しくは、チューブ絞出部４０を構成するスリット４１が、ブラシ台３０を貫通する貫通孔４３で構成されている。この貫通孔４３は、ブラシ台３０の植設面３１側から柄部１０側に向かって柄部１０の軸線方向に沿う方向に延びて形成されている。ブラシ台３０に貫通孔４３を形成するだけでスリット４１を形成することができるので、チューブ絞出部４０を容易且つ安価に形成することができる。
【００４７】
図７には、本発明の開発過程で提案された別の毛染用ブラシＳを示している。この毛染用ブラシＳは、上記実施の形態とは、チューブ絞出部４０が異なっている。詳しくは、チューブ絞出部４０を構成するスリット４１が、ブラシ台３０の一方の側壁面３６から他方の側壁面３６に向かって切欠形成されているとともに、一方の側壁面３６に開放口４２を有して形成されている。また、このスリット４１は、柄部１０の軸線方向に対して傾斜する方向に延びて形成されている。
【００４８】
図８には、本発明の開発過程で提案されたまた別の毛染用ブラシＳを示している。この毛染用ブラシＳは、上記実施の形態とは、チューブ絞出部４０が異なっている。詳しくは、チューブ絞出部４０を構成するスリット４１が、ブラシ台３０を貫通する貫通孔４３で構成されている。この貫通孔４３は、ブラシ台３０の一方の側壁面３６から他方の側壁面３６に向かって柄部１０の軸線方向に対して傾斜する方向に延びて形成されている。ブラシ台３０に貫通孔４３を形成するだけでスリット４１を形成することができるので、チューブ絞出部４０を容易且つ安価に形成することができる。
【００４９】
図９には、本発明の開発過程で提案された更に別の毛染用ブラシＳを示している。この毛染用ブラシＳは、上記の実施の形態とは、チューブ絞出部４０が異なっている。詳しくは、チューブ絞出部４０を構成するスリット４１の一方壁面４１ａは、ブラシ台３０の一方面３４で構成されており、スリット４１の一方壁面４１ａに対峙する他方壁面４１ｂは、両端４４ａがブラシ台３０に固設される押え部材４４で構成されている。
【００５０】
押え部材４４は、両端４４ａがブラシ台３０の両側壁面３６に固設されており、中間部４４ｂがブラシ台３０の一方面３４に所定距離離間して対峙する細長状の帯状部材４５で構成されている。この帯状部材４５のブラシ台３０の一方面３４に対峙する側の面がスリット４１の他方壁面４１ｂとして構成されている。
【００５１】
この毛染用ブラシＳでチューブ１内の毛染剤４を絞り出す際は、片方の手で柄部１０を把持し、チューブ１を、一方壁面４１ａを構成するブラシ台３０の一方面３４と、他方壁面４１ｂを構成する押え部材４４としての帯状部材４５との間に差し込んで、もう片方の手でチューブ１を一端２ａから引張することにより行なう。これによって、チューブ１がブラシ台３０の一方面３４及び他方面３５の面方向に沿って引張されて移動していくので、チューブ１を引張する際に、柄部１０を把持した方の手が邪魔になることがなく、そのため、柄部１０を把持したまま持ち変えることなくチューブ１の絞り出し作業を行なうことができる。
【００５２】
図１０には、本発明の開発過程で提案された更にまた別の毛染用ブラシＳを示している。この毛染用ブラシＳは、上記の押え部材４４を異ならせたものである。詳しくは、押え部材４４の中間部４４ｂが、ブラシ台３０の一方面３４に所定距離離間して対峙するとともに、柄部１０の軸線方向に直交する方向の回転軸４６ａを有したローラ４６で構成されている。
【００５３】
この毛染用ブラシＳでチューブ１内の毛染剤４を絞り出す際は、片方の手で柄部１０を把持し、チューブ１を、一方壁面４１ａを構成するブラシ台３０の一方面３４と、他方壁面４１ｂを構成する押え部材４４としてのローラ４６との間に差し込んで、もう片方の手でチューブ１を一端２ａから引張することにより行なう。押え部材４４がローラ４６で構成されているので、チューブ１を一端２ａから引張したとき、チューブ本体２と押え部材４４との摩擦が軽減され、チューブ１を引張しやすくなる。また、チューブ本体２と押え部材４４との摩擦が軽減されることから、チューブ１を一端２ａから引張する際にチューブ本体２が破けてチューブ１内の毛染剤４が漏れる事態を防止することができ、それだけ、毛染剤４を経済的に使用することができるとともに、毛染用ブラシＳ及びチューブ１を綺麗に使用することができる。
【００５４】
尚、上記実施の形態において、毛染用ブラシＳを、ブラシ台３０に柄部１０と刷毛部２０とを設けて構成したが、必ずしもこれに限定されるものではなく、例えば、ブラシ台３０に柄部１０及び刷毛部２０の他に複数の櫛歯からなる櫛部を設けて構成しても良く、適宜変更して差支えない。
【００５５】
尚また、図１１（ａ）に示すように、スリット４１の一方壁面４１ａ及び他方壁面４１ｂに、例えば針金等からなる金具３２を設けても良い。また、図１１（ｂ）に示すように、スリット４１の一方壁面４１ａ及び他方壁面４１ｂに、一方壁面４１ａ及び他方壁面４１ｂを覆う金具３２を付設しても良い。この場合、スリット４１を金具３２で補強することができる。
【符号の説明】
【００５６】
Ｓ  毛染用ブラシ
１  チューブ
２  チューブ本体
２ａ  一端
２ｂ  他端
３  吐出口
４  毛染剤
１０  柄部
１１  一方端
１２  他方端
２０  刷毛部
２１  毛
２２  毛束
３０  ブラシ台
３１  植設面
３２  金具
３３  ホール
３４  一方面
３５  他方面
３６  側壁面
３７  凸部
３８  側壁
４０  チューブ絞出部
４１  スリット
４１ａ  一方壁面
４１ｂ  他方壁面
４２  開放口
４３  貫通孔
４４  押え部材
４５  帯状部材
４６  ローラ
【要約】
【課題】  チューブ絞り出し機能を備えるとともに、柄部を把持したまま持ち変えることなくチューブを絞ることができるようにし、毛染剤の絞り出し作業を容易に行なうことができるようにする。
【解決手段】  一端が閉塞され流動状の毛染剤が充填されるチューブ本体及びチューブ本体の他端に充填された毛染剤を吐出する吐出口を有したチューブの吐出口から吐出された毛染剤を毛髪に塗布するものであって、把持可能な柄部１０と、チューブから吐出された毛染剤を毛髪に塗布するための複数の毛２１からなる刷毛部２０と、柄部１０の一方端１１に設けられ刷毛部２０が植設されるブラシ台３０とを備え、ブラシ台３０に、チューブ本体が差し込まれ差し込まれたチューブ本体の一端側を引張することによりチューブ内の毛染剤を絞り出すチューブ絞出部４０を設けた。
【選択図】図１【図１】
0004676024.tif 000002
【図２】
0004676024.tif 000003
【図３】
0004676024.tif 000004
【図４】
0004676024.tif 000005
【図５】
0004676024.tif 000006
【図６】
0004676024.tif 000007
【図７】
0004676024.tif 000008
【図８】
0004676024.tif 000009
【図９】
0004676024.tif 000010
【図１０】
0004676024.tif 000011
【図１１】
0004676024.tif 000012
【図１２】
0004676024.tif 000013
【図１３】
0004676024.tif 000014
【図１４】
0004676024.tif 000015